(57)【要約】【課題】ユーザが意図せずにタッチパッドに触れることで生じる誤操作を抑制する、ことを目的とする。【解決手段】ノートＰＣは、キーボード１０とタッチパッド１１とが隣接するＯＳＫ５を有する。そして、ノートＰＣは、キーボード１０及びタッチパッド１１に対するユーザの操作状態を判定し、この判定結果に基づいて、タッチパッド１１の有効領域１３の広さを、第１領域又は第１領域よりも狭い第２領域１３Ｓに変化させる。【選択図】図４
2018010512.tif 000002
【特許請求の範囲】
【請求項１】
キーボードとタッチパッドとが隣接する情報処理装置であって、
前記キーボード及び前記タッチパッドのうち少なくとも一方に対するユーザの操作状態を判定する操作状態判定手段と、
前記操作状態判定手段による判定結果に基づいて、前記タッチパッドの有効操作領域の広さを変化させる有効操作領域変化手段と、
を備える情報処理装置。
【請求項２】
キーボードとタッチパッドとが隣接する情報処理装置であって、
前記キーボードに対する操作が行われている場合、前記タッチパッドの有効操作領域のうち、前記キーボード側を含む一部領域を無効操作領域に変化させる有効操作領域変化手段を備える情報処理装置。
【請求項３】
画像を表示するタッチパネルディスプレイを備え、
前記キーボード及び前記タッチパッドは前記タッチパネルディスプレイに表示され、前記有効操作領域は前記タッチパネルディスプレイに設けられ、
前記タッチパネルディスプレイに表示される前記タッチパッドの大きさを前記有効操作領域の広さの変化に対応して変化させる表示制御手段を備える請求項１又は請求項２記載の情報処理装置。
【請求項４】
前記有効操作領域変化手段は、前記有効操作領域の広さを第１領域、又は前記第１領域よりも狭い第２領域に変化させる請求項１から請求項３の何れか１項記載の情報処理装置。
【請求項５】
前記有効操作領域変化手段は、前記キーボードに対する操作が行われる状態で、前記有効操作領域を前記第２領域とする請求項４記載の情報処理装置。
【請求項６】
前記有効操作領域変化手段は、前記タッチパッドに対する操作が行われる状態で、前記有効操作領域を前記第１領域とする請求項４又は請求項５記載の情報処理装置。
【請求項７】
前記有効操作領域変化手段は、前記タッチパッドに対する操作と組み合わされて操作入力が行われるキーが押された状態で、前記有効操作領域を前記第１領域とする請求項４から請求項６の何れか１項記載の情報処理装置。
【請求項８】
前記第１領域と前記第２領域の中心位置は、同じ位置である請求項４から請求項７の何れか１項記載の情報処理装置。
【請求項９】
前記タッチパッドによる操作対象となるポインタを表示するディスプレイを備え、
前記有効操作領域が狭くなっている状態では、前記ディスプレイにポインタを表示しない表示制御手段を備える請求項１から請求項８の何れか１項記載の情報処理装置。
【請求項１０】
指示体によるタッチ操作の入力を受け付けるタッチパネルディスプレイを備え、
前記タッチパネルディスプレイに対して、ユーザが前記タッチ操作を行っている状態では、前記キーボード及び前記タッチパッドに対する操作を受け付けない請求項１から請求項９の何れか１項記載の情報処理装置。
【請求項１１】
キーボードとタッチパッドとが隣接する情報処理装置の誤操作抑制方法であって、
前記キーボード及び前記タッチパッドのうち少なくとも一方に対するユーザの操作状態を判定する第１工程と、
前記第１工程による判定結果に基づいて、前記タッチパッドの有効操作領域の広さを変化させる第２工程と、
を有する誤操作抑制方法。
【請求項１２】
キーボードとタッチパッドとが隣接する情報処理装置の誤操作抑制方法であって、
前記キーボードに対する操作が行われている場合、前記タッチパッドの有効操作領域のうち、前記キーボード側を含む一部領域を無効操作領域に変化させる誤操作抑制方法。
【請求項１３】
キーボードとタッチパッドとが隣接する情報処理装置が有するコンピュータを、
前記キーボード及び前記タッチパッドのうち少なくとも一方に対するユーザの操作状態を判定する操作状態判定手段と、
前記操作状態判定手段による判定結果に基づいて、前記タッチパッドの有効操作領域の広さを変化させる有効操作領域変化手段と、
して機能させるプログラム。
【請求項１４】
キーボードとタッチパッドとが隣接する情報処理装置が有するコンピュータを、
前記キーボードに対する操作が行われている場合、前記タッチパッドの有効操作領域のうち、前記キーボード側を含む一部領域を無効操作領域に変化させる有効操作領域変化手段として機能させるプログラム。
【請求項１５】
キーボードとタッチパッドとを有する情報処理装置であって、
前記タッチパッドへのユーザによる操作を検出するタッチセンサと、
前記タッチパッドの有効操作領域へのタッチを前記タッチセンサが検出したことで前記タッチパッドによる操作を実行する制御部と、を備え、
前記制御部は、前記キーボードに対するユーザの操作状態及び前記タッチパッドに対するユーザの操作状態のうちの少なくともいずれか一方に基づいて前記有効操作領域の広さを変化させる情報処理装置。
【請求項１６】
画像を表示するタッチパネルディスプレイを備え、
前記キーボード及び前記タッチパッドは前記タッチパネルディスプレイに表示され、前記タッチセンサは前記タッチパネルディスプレイに設けられ、
前記タッチパネルディスプレイに表示される前記タッチパッドの大きさを前記有効操作領域の広さの変化に対応して変化させる表示制御手段を備える請求項１５記載の情報処理装置。
【請求項１７】
キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置の誤操作抑制方法であって、
前記制御部によって、前記キーボードに対するユーザの操作状態及び前記タッチパッドに対するユーザの操作状態のうちの少なくともいずれか一方に基づいて前記有効操作領域の広さを変化させる誤操作抑制方法。
【請求項１８】
キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置が有するコンピュータに、
前記キーボードに対するユーザの操作状態及び前記タッチパッドに対するユーザの操作状態のうちの少なくともいずれか一方に基づいて前記有効操作領域の広さを変化させる機能を実現させるためのプログラム。
【発明の詳細な説明】
【技術分野】
【０００１】
本発明は、情報処理装置、誤操作抑制方法、及びプログラムに関するものである。
【背景技術】
【０００２】
近年、画像表示手段としてタッチパネルディスプレイを備える情報処理装置の普及と共に、ソフトウェアキーボード（ＯＳＫ（On  Screen  Keyboard）やスクリーンキーボードともいう。）によってキー入力が可能な情報処理装置が開発されている。
【０００３】
このような情報処理装置として、特許文献１には、ソフトウェアキーボードからの入力が可能なキー入力モードと、ポインティングデバイスとしての入力が可能なタッチパッドモードとを切り替えるモード切替手段を有する情報処理装置が開示されている。
【０００４】
また、キー入力モードとタッチパッドモードとを切り替えるのではなく、タッチパッドとキーボードとが隣接して設けられるソフトウェアキーボードも開発されている。
【先行技術文献】
【特許文献】
【０００５】
【特許文献１】特開２０１４−５２８６４号公報
【発明の概要】
【発明が解決しようとする課題】
【０００６】
しかしながら、タッチパッドとキーボードとが隣接していると、タイピングを行っている場合に誤って掌がタッチパッドに触れ、例えば、ポインタ（マウスカーソル）がユーザの意図しない位置へ動き、ウィンドウが切り替わるというような誤操作や誤入力が生じる場合がある。特に、タッチパッドがキーボードの下側に設けられていると、タッチパッドの上側に掌等が接触し、タッチパッドに対する誤操作が生じやすい。
【０００７】
また、ソフトウェアキーボードでは、物理キーボードが有するような段差がなく同一平面である。このため、ユーザが、キーボードとタッチパッドとの境界を触覚によって認識しにくく、キーボードに対してタイピングを行っている際に、掌等がタッチパッドに触れても気付きにくい。
【０００８】
本発明は、このような事情に鑑みてなされたものであって、ユーザが意図せずにタッチパッドに触れることで生じる誤操作を抑制できる、情報処理装置、誤操作抑制方法、及びプログラムを提供することを目的とする。
【課題を解決するための手段】
【０００９】
上記課題を解決するために、本発明の情報処理装置、誤操作抑制方法、及びプログラムは以下の手段を採用する。
【００１０】
本発明の第一態様に係る情報処理装置は、キーボードとタッチパッドとが隣接する情報処理装置であって、前記キーボード及び前記タッチパッドのうち少なくとも一方に対するユーザの操作状態を判定する操作状態判定手段と、前記操作状態判定手段による判定結果に基づいて、前記タッチパッドの有効操作領域の広さを変化させる有効操作領域変化手段と、を備える。
【００１１】
本発明の第二態様に係る情報処理装置は、キーボードとタッチパッドとが隣接する情報処理装置であって、前記キーボードに対する操作が行われている場合、前記タッチパッドの有効操作領域のうち、前記キーボード側を含む一部領域を無効操作領域に変化させる有効操作領域変化手段を備える。
【００１２】
本発明の第三態様に係る誤操作抑制方法は、キーボードとタッチパッドとが隣接する情報処理装置の誤操作抑制方法であって、前記キーボード及び前記タッチパッドのうち少なくとも一方に対するユーザの操作状態を判定する第１工程と、前記第１工程による判定結果に基づいて、前記タッチパッドの有効操作領域の広さを変化させる第２工程と、を有する。
【００１３】
本発明の第四態様に係る誤操作抑制方法は、キーボードとタッチパッドとが隣接する情報処理装置の誤操作抑制方法であって、前記キーボードに対する操作が行われている場合、前記タッチパッドの有効操作領域のうち、前記キーボード側を含む一部領域を無効操作領域に変化させる。
【００１４】
本発明の第五態様に係るプログラムは、キーボードとタッチパッドとが隣接する情報処理装置が有するコンピュータを、前記キーボード及び前記タッチパッドのうち少なくとも一方に対するユーザの操作状態を判定する操作状態判定手段と、前記操作状態判定手段による判定結果に基づいて、前記タッチパッドの有効操作領域の広さを変化させる有効操作領域変化手段と、して機能させる。
【００１５】
本発明の第六態様に係るプログラムは、キーボードとタッチパッドとが隣接する情報処理装置が有するコンピュータを、前記キーボードに対する操作が行われている場合、前記タッチパッドの有効操作領域のうち、前記キーボード側を含む一部領域を無効操作領域に変化させる有効操作領域変化手段として機能させる。
【００１６】
本発明の第七態様に係る情報処理装置は、キーボードとタッチパッドとを有する情報処理装置であって、前記タッチパッドへのユーザによる操作を検出するタッチセンサと、前記タッチパッドの有効操作領域へのタッチを前記タッチセンサが検出したことで前記タッチパッドによる操作を実行する制御部と、を備え、前記制御部は、前記キーボードに対するユーザの操作状態及び前記タッチパッドに対するユーザの操作状態のうちの少なくともいずれか一方に基づいて前記有効操作領域の広さを変化させる。
【００１７】
本発明の第八態様に係る誤操作抑制方法は、キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置の誤操作抑制方法であって、前記制御部によって、前記キーボードに対するユーザの操作状態及び前記タッチパッドに対するユーザの操作状態のうちの少なくともいずれか一方に基づいて前記有効操作領域の広さを変化させる。
【００１８】
本発明の第九態様に係るプログラムは、キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置が有するコンピュータに、前記キーボードに対するユーザの操作状態及び前記タッチパッドに対するユーザの操作状態のうちの少なくともいずれか一方に基づいて前記有効操作領域の広さを変化させる機能を実現させるためのプログラム。
【発明の効果】
【００１９】
本発明によれば、ユーザが意図せずにタッチパッドに触れることで生じる誤操作を抑制できる、という効果を有する。
【図面の簡単な説明】
【００２０】
【図１】本発明の第１実施形態に係るノートＰＣの概略外観図である。
【図２】本発明の第１実施形態に係るＯＳＫの概略図である。
【図３】本発明の第１実施形態に係るノートＰＣの電気的構成を示すブロック図である。
【図４】本発明の第１実施形態に係るタッチパッドスイッチモードとなったＯＳＫの概略図である。
【図５】本発明の第１実施形態に係るタッチパッド誤操作抑制機能に係る機能ブロック図である。
【図６】本発明の第１実施形態に係るタッチパッド誤操作抑制機能の処理の流れを示すフローチャートである。
【図７】本発明の第２実施形態に係るタッチパッド誤操作抑制機能の処理の流れを示すフローチャートである。
【図８】本発明の第３実施形態に係るタッチパッド誤操作抑制機能の処理の流れを示すフローチャートである。
【図９】本発明の第４実施形態に係るタッチパッド誤操作抑制機能の処理の流れを示すフローチャートである。
【図１０】本発明の他の実施形態に係るタッチパッドの有効操作領域を示す概略図である。
【発明を実施するための形態】
【００２１】
以下に、本発明に係る情報処理装置、誤操作抑制方法、及びプログラムの一実施形態について、図面を参照して説明する。
【００２２】
〔第１実施形態〕
以下、本発明の第１実施形態について説明する。
【００２３】
図１は、本実施形態に係るノートＰＣ１の概略外観図である。
【００２４】
ノートＰＣ１は、図１に示すように一例として、いずれも略直方体である第１筐体２Ａ及び第２筐体２Ｂを備える。
【００２５】
第１筐体２Ａ及び第２筐体２Ｂは、それぞれの端部で左右一対の連結部３Ａ，３Ｂによって連結されている。連結部３Ａ，３Ｂは、ヒンジであり、第１筐体２Ａ及び第２筐体２Ｂを開閉自在に支持している。
【００２６】
第１筐体２Ａはタッチパネルディスプレイ４Ａを備え、第２筐体２Ｂはタッチパネルディスプレイ４Ｂを備える。なお、以下の説明において、タッチパネルディスプレイ４Ａ，４Ｂを区別する場合は、符号の末尾にＡ，Ｂの何れかを付し、各タッチパネルディスプレイ４Ａ，４Ｂを区別しない場合は、Ａ，Ｂを省略する。
【００２７】
タッチパネルディスプレイ４は、表示画面とタッチセンサを備える。タッチパネルディスプレイ４は、ビデオ信号に変換された表示データに応じた各種情報を表示画面に表示すると共に、ユーザの指やペン等の指示体によるタッチや、指示体の近接をタッチセンサによって検出することで、指示体による操作入力を受け付ける。
【００２８】
また、ノートＰＣ１は、ユーザによる操作入力を行うためのユーザインターフェースとして、タッチパネルディスプレイ４にソフトウェアキーボード（以下「ＯＳＫ」という。）５を表示可能とされている。なお、図１の例では、タッチパネルディスプレイ４Ｂがセカンダリモニタとして機能し、ＯＳＫ５が表示される。一方、タッチパネルディスプレイ４Ａがプライマリモニタとして機能し、ＯＳＫ５によって操作される各種アプリケーション、ウィンドウ、ポインタ６（マウスカーソルともいう。）等が表示される。
【００２９】
図２は、ＯＳＫ５の概略図を示す。本実施形態に係るＯＳＫ５は、キーボード１０及びタッチパッド１１が設けられる。
【００３０】
キーボード１０は、文字、コマンド等の入力を受け付ける各種キーより構成される。
【００３１】
タッチパッド１１は、ユーザが自身の指等の指示体を用いて、プライマリモニタであるタッチパネルディスプレイ４Ａに表示されるポインタ６を移動させるポインティング操作やタップ操作を行うために用いられる。一例として、タッチパッド１１は、キーボード１０の下側であるユーザ側に設けられている。
【００３２】
なお、キーボード１０を示す画像に対応して、キーボード１０に対する入力を検知する有効操作領域１４が設けられ、タッチパッド１１を示す画像に対応して、タッチパッド１１に対する操作入力を検知する有効操作領域１３が設けられる。
【００３３】
タッチパッド１１の左右に隣接する領域は、無効操作領域であるパームレスト１２として機能する。従って、ユーザがパームレスト１２に触れても、タッチパネルディスプレイ４Ｂは操作入力として検知しない。
【００３４】
図３は、ノートＰＣ１のハードウェアの構成を示す概略図である。
【００３５】
ノートＰＣ１は、ＣＰＵ（Central  Processing  Unit）２０、ＲＯＭ（Read  Only  Memory）２１、メモリ２２、ＬＣＤ（Liquid  Crystal  Display）２３、グラフィクスアダプタ２４、タッチセンサ２５、タッチＩＣ２６、フラッシュメモリ２７、通信デバイス２８、及び電源回路２９を備えており、各部はバス３０を介して直接または間接的に接続されている。なお、タッチパネルディスプレイ４Ａ，４Ｂは、各々、ＬＣＤ２３とタッチセンサ２５を含んで構成される。
【００３６】
ＣＰＵ２０は、フラッシュメモリ２７に格納されたＯＳ（Operating  System）によりノートＰＣ１全体の制御を行うと共に、フラッシュメモリ２７に格納された各種のプログラムに基づいて、タッチパネルディスプレイ４等を介したユーザの操作に応じた処理を実行する機能を有する。
【００３７】
ＲＯＭ２１は、ＢＩＯＳ（Basic  Input/Output  System）や各種データ等を格納している。
【００３８】
メモリ２２は、キャッシュメモリやＲＡＭ（Random  Access  Memory）で構成されており、ＣＰＵ２０の実行プログラムの読み込み、及び実行プログラムによる処理データの書き込みを行う作業領域として利用される書き込み可能なメモリである。
【００３９】
ＬＣＤ２３は、ＣＰＵ２０の制御に従って、グラフィクスアダプタ２４からのビデオ信号を画像として表示する。
【００４０】
グラフィクスアダプタ２４は、ＣＰＵ２０の制御に従って、表示情報をビデオ信号に変換し、変換したビデオ信号をＬＣＤ２３に出力する。
【００４１】
タッチセンサ２５は、ＬＣＤ２３に対するユーザの指及びタッチペン等のタッチ位置を検出して、タッチＩＣ２６に出力する。タッチセンサ２５は、ＬＣＤ２３の画面に表示される各種メニュー、アイコン、ボタン、及びキーボード等の画面オブジェクトの選択、テキストの入力、スクロールやスワイプ等の画面操作といった操作入力や、キーボード１０及びタッチパッド１１へのユーザによる操作を、ユーザの指やタッチペン等によるタッチを検出することで受け付ける。
【００４２】
タッチＩＣ（Integrated  Circuit）２６は、プロセッサがＲＯＭ２１等に格納されたプログラムを実行することにより各種処理を行い、タッチセンサ２５の動作を制御する。すなわち、タッチＩＣ２６は、タッチパッド１１の有効操作領域１３へのタッチをタッチセンサ２５が検出したことでタッチパッド１１による操作を実行する制御部である。
【００４３】
フラッシュメモリ２７は、ノートＰＣ１全体の制御を行うためのＯＳ、周辺機器類をハードウェア操作するための各種ドライバ、特定業務に向けられたアプリケーション、及び各種データやファイル等を格納する機能を有する。なお、ノートＰＣ１は、フラッシュメモリ２７に替わる記憶手段としてＨＤＤ（Hard  Disk  Drive）等、他の記憶手段を備えてもよい。
【００４４】
通信デバイス２８は、他のデバイスとの間との通信を行う。
【００４５】
電源回路２９は、ＡＣアダプタ、インテリジェント電池、インテリジェント電池を充電するための充電器、及びＤＣ／ＤＣコンバータ等を備えており、ＣＰＵ２０の制御に従って、各デバイスに電力を供給する。
【００４６】
ここで、ＯＳＫ５は、キーボード１０とタッチパッド１１との境界（図２の一点鎖線で囲まれる領域Ａ）に段差がなく同一平面である。このため、ユーザが、キーボード１０に対してタイピングを行っている際に、掌等がタッチパッド１１に触れても気付きにくい。その結果、タッチパッド１１に対して意図しない入力が行われ、誤操作が生じる場合がある。
【００４７】
そこで、本実施形態に係るノートＰＣ１は、上記誤操作を抑制するために、タッチパッド１１の有効操作領域１３の広さを変化させるタッチパッド誤操作抑制機能を有する。
【００４８】
より具体的には、タッチパッド１１の有効操作領域１３の広さは、第１領域１３Ｌ、又は第１領域１３Ｌよりも狭い第２領域１３Ｓに変化する。第１領域１３Ｌは、図２に示される有効操作領域１３であり、第２領域１３Ｓは、図４に示される有効操作領域１３である。第１領域１３Ｌのうち、第２領域１３Ｓに含まれなかった領域は無効操作領域（パームレスト１２の一部）となり、ユーザがこの領域に触れても、タッチパネルディスプレイ４Ｂは操作入力として検知しない。
【００４９】
なお、図４の例では、キーボード１０の有効操作領域１４の広さは変化しない。従って、タッチパッド１１の有効操作領域１３が第２領域１３Ｓに変化すると、パームレスト１２が広くなる。
【００５０】
すなわち、本実施形態に係るノートＰＣ１は、ユーザがタッチパッド１１に対する操作を行う場合、タッチパッド１１の有効操作領域１３を狭くするので、ユーザが意図せずにタッチパッド１１に触れることで生じる誤操作を抑制できる。一方、ユーザがタッチパッド１１に対する操作を行う場合、ノートＰＣ１は、タッチパッド１１の有効操作領域１３を広くするので、タッチパッド１１に対する操作性を損なうことを防止できる。
【００５１】
以下の説明では、有効操作領域１３の広さが第２領域１３Ｓとなったタッチパッド１１をタッチパッドスイッチ１１Ｓともいう。そして、有効操作領域１３が第２領域１３Ｓとなるとタッチパネルディスプレイ４Ｂに表示されるタッチパッド１１の画像も、タッチパッド１１よりも小さいタッチパッドスイッチ１１Ｓを示す画像となる。図２，４の例では、タッチパッド１１を示す矩形の画像とされている一方、タッチパッドスイッチ１１Ｓを示す画像は円形とされている。これにより、ユーザは、タッチパッド１１の有効操作領域１３が狭くなっていることを直感的に知り得る。
【００５２】
第１領域１３Ｌと第２領域１３Ｓの中心位置１３ｃは、同じ位置である。これにより、キーボード１０とタッチパッド１１との間隙ｗが広くなるため、タッチパッド１１に対する意図しない入力をより抑制することができる。また、タッチパッド１１に対する操作を開始する場合、タッチパッド１１の略中心に指を接触（タッチ）させることが一般的なユーザにとって自然な動作である。このため、第１領域１３Ｌと第２領域１３Ｓの中心位置１３ｃを同じ位置とすることで、タッチパッド１１の有効操作領域１３の広さが変化しても、タッチパッド１１に対する操作性が損なわれることを防止できる。
【００５３】
このように、第１領域１３Ｌと第２領域１３Ｓとは、中心位置１３ｃが同じであり、面積が異なる有効操作領域１３ある。また、第１領域１３Ｌと第２領域１３Ｓとは相似形であってもよいし、異なる形状であってもよい。
【００５４】
なお、タッチパッド１１の有効操作領域１３が第１領域１３Ｌの状態をタッチパッドモードといい、第２領域１３Ｓの状態をタッチパッドスイッチモードという。
【００５５】
図５は、タッチパッド誤操作抑制機能に関する機能ブロック図である。
【００５６】
タッチＩＣ２６は、操作状態判定部４０及び有効操作領域変化部４１を備える。ＣＰＵ２０は、画像表示制御部４２を備える。
【００５７】
操作状態判定部４０は、キーボード１０及びタッチパッド１１に対するユーザの操作状態を判定する。キーボード１０に対する操作状態とは、キーボード１０をタイピングしている状態、キーボード１０をタイピングしていない状態、予め定められたキー入力を行っている状態等である。本実施形態では、タイピングの開始を認識してからタッチパッドの操作開始を認識するまでの間を「タイピングしている状態」とし、タッチパッドの操作開始を認識してからタイピングの開始を認識するまでの間を「タイピングしていない状態」としている。また、タッチパッド１１に対する操作状態とは、タッチパッド１１を操作している状態、タッチパッド１１を操作していない状態等である。本実施形態では、タッチパッドの操作開始を認識してからタイピングの開始を認識するまでの間を「タッチパッド１１を操作している状態」とし、タイピングの開始を認識してからタッチパッドの操作開始を認識するまでの間を「タッチパッド１１を操作していない状態」としている。この他にも、操作状態判定部４０は、操作状態として、タッチパネルディスプレイ４Ａがタッチペンによって操作されている状態も判定する。
【００５８】
有効操作領域変化部４１は、操作状態判定部４０による判定結果に基づいて、タッチパッド１１の有効操作領域１３の広さを変化させる。具体的には、有効操作領域変化部４１は、キーボード１０に対するタイピングが行われる状態で、有効操作領域１３を第２領域１３Ｓとし、タッチパッド１１に対する操作が行われる状態で、有効操作領域１３を第１領域１３Ｌとする。
【００５９】
このように、有効操作領域変化部４１は、キーボード１０に対する操作が行われている場合、タッチパッド１１の有効操作領域１３のうち、キーボード１０側を含む一部領域を無効操作領域に変化させる。本実施形態において無効操作領域は、一例として、この領域にタッチしてもタッチセンサ２５が反応（センシング）しない領域である。すなわち、本実施形態に係る無効操作領域は、タッチセンサ２５がユーザの指及びタッチペン等のタッチの検出そのものを実行しない。
【００６０】
画像表示制御部４２は、タッチパッドスイッチモード又はタッチパッドモードに対応して、タッチパネルディスプレイ４Ｂに表示されるタッチパッド１１の画像を切り替える。また、画像表示制御部４２は、タッチパッドスイッチモードでは、タッチパネルディスプレイ４Ａにポインタ６を表示しない。
【００６１】
なお、操作状態判定部４０及び有効操作領域変化部４１は、その処理速度を速くするためにタッチＩＣ２６に備えられている形態について説明したが、これに限らず、操作状態判定部４０及び有効操作領域変化部４１が有する機能をＣＰＵ２０が実行してもよい。
【００６２】
図６は、本実施形態に係るタッチパッド誤操作抑制機能の処理の流れを示すフローチャートである。本処理は、ＯＳＫ５が起動すると開始し、ＯＳＫ５が終了すると終了する。
【００６３】
まず、ステップ１００では、タッチパッドスイッチモードとする。
【００６４】
タッチパッドスイッチモードでは、ポインタ６はタッチパネルディスプレイ４Ａに表示されない。タッチパッドスイッチモードでポインタ６の表示を消すことにより、タッチパッド１１に対する操作の開始時にユーザにポインタ６の位置を意識させない。これにより、ユーザは意識することなく、タッチパッド１１の中心位置１３ｃ、すなわち、タッチパッドスイッチ１１Ｓに指を置いてタッチパッド１１に対する操作を開始する。
【００６５】
次のステップ１０２では、タッチパッドスイッチ１１Ｓがタッチされたか否かを判定することで、タッチパッド１１に対する操作が開始されたか否かを判定し、肯定判定の場合はステップ１０４へ移行する。一方、否定判定の場合は、キーボード１０に対してタイピングが行われている状態、又はタイピングが行われていない状態であり、ステップ１００へ戻り、タッチパッドスイッチモードが継続される。
【００６６】
ステップ１０４では、タッチパッドスイッチモードからタッチパッドモードに切り替える。タッチパッドモードとなると、タッチパッド１１の有効操作領域１３が第２領域１３Ｓから第１領域１３Ｌへ変化する。これと共に、タッチパッドスイッチ１１Ｓの画像もタッチパッド１１に変化する。また、ポインタ６もタッチパネルディスプレイ４Ａに表示される。なお、ポインタ６の表示開始位置は、タッチパネルディスプレイ４Ａの中心でもよいし、ポインタ６の表示が消された位置から再開されてもよい。
【００６７】
次のステップ１０６では、キーボード１０に対するタイピングが開始されたか否かを判定し、肯定判定の場合はステップ１００へ戻り、タッチパッドモードからタッチパッドスイッチモードへ切り替える。一方、否定判定の場合はステップ１０４へ戻り、タッチパッドモードが継続される。タッチパッドスイッチモードとなると、タッチパッド１１の有効操作領域１３が第１領域１３Ｌから第２領域１３Ｓへ変化する。これと共に、タッチパッド１１の画像もタッチパッドスイッチ１１Ｓに変化する。また、ポインタ６はタッチパネルディスプレイ４Ａから消去される。
【００６８】
図６のフローを用いて説明したように、ノートＰＣ１は、ＯＳＫ５に対するユーザの操作状態に応じて、タッチパッドスイッチモードとタッチパッドモードとを動的に切り替える。
【００６９】
なお、所定のキー入力（例えば、Ｃｔｒｌキー、Ｓｉｆｔキー、又はファンクションキー等への入力）とタッチパッド１１に対する操作とを組み合わせ行う操作入力がある。このような操作を行う場合、タッチパッドスイッチモードとなっていると、ユーザにとって操作性が悪い。
【００７０】
そこで、ノートＰＣ１は、タッチパッド１１に対する操作と組み合わせて操作入力を行うためのキーが押された状態では、有効操作領域１３を第１領域１３Ｌとする。すなわち、キーボード１０に対してキー入力が行われても、それが上記所定のキー入力の場合、タッチパッドスイッチモードに切り替わらずにタッチパッドモードが継続される。または、タッチパッドスイッチモードとなっていても、上記所定のキー入力が行われた場合、タッチパッドスイッチモードからタッチパッドモードに切り替わる。
【００７１】
また、プライマリモニタであるタッチパネルディスプレイ４Ａに対して、ユーザが指又はタッチペン等の指示体によってタッチ操作を行っている状態では、ＯＳＫ５はキーボード１０及びタッチパッド１１両方に対する操作を受け付けない。これにより、タッチパネルディスプレイ４Ａに対してユーザがタッチ操作を行っている場合に、ユーザの手や腕等が誤ってＯＳＫ５に触れ、誤操作が生じることを防止できる。
【００７２】
さらに、ノートＰＣ１は、ＯＳＫ５全体、すなわち、キーボード１０及びパームレスト１２の領域もタッチパッド１１として機能させるビッグタッチパッドモードを有し、所定の入力があった場合に、タッチパッドモード又はタッチパッドスイッチモードからビッグタッチパッドモードに切り替わってもよい。これにより、タッチパッド１１として機能する有効操作領域１３が広くなり、タッチパッド１１に対する操作性が向上する。
【００７３】
以上説明したように、本第１実施形態に係るノートＰＣ１は、キーボード１０とタッチパッド１１とが隣接するＯＳＫ５を有する。そして、ノートＰＣ１は、キーボード１０及びタッチパッド１１に対するユーザの操作状態を判定し、この判定結果に基づいて、タッチパッド１１の有効操作領域１３の広さを変化させる。
【００７４】
従って、本実施形態に係るノートＰＣ１は、ユーザが意図せずにタッチパッド１１に触れることで生じる誤操作を抑制できる。
【００７５】
〔第２実施形態〕
以下、本発明の第２実施形態について説明する。
【００７６】
本実施形態に係るノートＰＣ１の構成は、図１〜図５に示す第１実施形態に係るノートＰＣ１の構成と同様であるので説明を省略する。
【００７７】
本実施形態に係るノートＰＣ１は、タッチパッド１１に対するユーザの操作状態を判定し、この判定結果に基づいて、タッチパッドスイッチモードとタッチパッドモードとを切り替える。すなわち、本実施形態に係る操作状態判定部４０は、タッチパッド１１に対するユーザの操作状態を判定するものの、キーボード１０に対する操作状態は判定しない。
【００７８】
図７は、本実施形態に係るタッチパッド誤操作抑制機能の処理の流れを示すフローチャートである。本処理は、ＯＳＫ５が起動すると開始し、ＯＳＫ５が終了すると終了する。
【００７９】
まず、ステップ２００では、タッチパッドスイッチモードとする。
【００８０】
次のステップ２０２では、タッチパッドスイッチ１１Ｓがタッチされたか否かを判定することで、タッチパッド１１に対する操作が開始されたか否かを判定し、肯定判定の場合はステップ２０４へ移行する。一方、否定判定の場合は、ステップ２００へ戻り、タッチパッドスイッチモードが継続される。
【００８１】
ステップ２０４では、タッチパッドスイッチモードからタッチパッドモードに切り替える。
【００８２】
次のステップ２０６では、所定時間（例えば１０秒）以上、タッチパッド１１に対する操作が無いか否かを判定する。肯定判定の場合は、キーボード１０に対する操作をユーザが行っている可能性があるため、ステップ２００へ戻り、タッチパッドモードからタッチパッドスイッチモードへ切り替える。一方、否定判定の場合はタッチパッド１１に対する操作が行われているとしてステップ２０４へ戻り、タッチパッドモードが継続される。
【００８３】
〔第３実施形態〕
以下、本発明の第３実施形態について説明する。
【００８４】
本実施形態に係るノートＰＣ１の構成は、図１〜図５に示す第１実施形態に係るノートＰＣ１の構成と同様であるので説明を省略する。
【００８５】
本実施形態に係るノートＰＣ１は、キーボード１０及びタッチパッド１１に対するユーザの操作状態を判定し、この判定結果に基づいて、タッチパッドスイッチモードとタッチパッドモードとを切り替える。
【００８６】
図８は、本実施形態に係るタッチパッド誤操作抑制機能の処理の流れを示すフローチャートである。本処理は、ＯＳＫ５が起動すると開始し、ＯＳＫ５が終了すると終了する。
【００８７】
まず、ステップ３００では、タッチパッドスイッチモードとする。
【００８８】
次のステップ３０２では、タッチパッドスイッチ１１Ｓがタッチされたか否かを判定することで、タッチパッド１１に対する操作が開始されたか否かを判定し、肯定判定の場合はステップ３０４へ移行する。一方、否定判定の場合は、ステップ３００へ戻り、タッチパッドスイッチモードが継続される。
【００８９】
ステップ３０４では、タッチパッドスイッチモードからタッチパッドモードに切り替える。
【００９０】
次のステップ３０６では、キーボード１０に対するタイピングが開始されたか否かを判定し、肯定判定の場合はステップ３００へ戻り、タッチパッドモードからタッチパッドスイッチモードへ切り替える。一方、否定判定の場合はステップ３０８へ移行する。
【００９１】
ステップ３０８では、所定時間（例えば１０秒）以上、タッチパッド１１に対する操作が無いか否かを判定する。肯定判定の場合は、キーボード１０に対する操作をユーザが行っている可能性があるため、ステップ３００へ戻り、タッチパッドモードからタッチパッドスイッチモードへ切り替える。一方、否定判定の場合はタッチパッド１１に対する操作が行われているとしてステップ３０４へ戻り、タッチパッドモードが継続される。
【００９２】
〔第４実施形態〕
以下、本発明の第４実施形態について説明する。
【００９３】
本実施形態に係るノートＰＣ１の構成は、図１〜図５に示す第１実施形態に係るノートＰＣ１の構成と同様であるので説明を省略する。
【００９４】
本実施形態に係るノートＰＣ１は、ＯＳＫ５がタッチパッドモードで起動する。
【００９５】
図９は、本実施形態に係るタッチパッド誤操作抑制機能の処理の流れを示すフローチャートである。本処理は、ＯＳＫ５が起動すると開始し、ＯＳＫ５が終了すると終了する。
【００９６】
まず、ステップ４００では、タッチパッドモードとする。
【００９７】
次のステップ４０２では、キーボード１０に対するタイピングが開始されたか否かを判定し、肯定判定の場合はステップ４０４へ移行する。一方、否定判定の場合は、ステップ４００へ戻り、タッチパッドモードが継続される。
【００９８】
ステップ４０４では、タッチパッドモードからタッチパッドスイッチモードに切り替える。
【００９９】
次のステップ４０６では、タッチパッドスイッチ１１Ｓがタッチされたか否かを判定することで、タッチパッド１１に対する操作が開始されたか否かを判定し、肯定判定の場合はステップ４００へ戻る。一方、否定判定の場合は、ステップ４０４へ戻り、タッチパッドスイッチモードが継続される。
【０１００】
なお、本実施形態の変形例として、図９に示すフローチャートのステップ４０６の判定処理を、所定時間（例えば１０秒）以上、キーボード１０に対する操作が無いか否かを判定し、肯定判定の場合はステップ４００へ戻り、否定判定の場合はステップ４０４へ戻る判定処理としてもよい。すなわち、この変形例における操作状態判定部４０は、キーボード１０に対するユーザの操作状態を判定するものの、タッチパッド１１に対する操作状態は判定しない。
【０１０１】
以上、本発明を、上記各実施形態を用いて説明したが、本発明の技術的範囲は上記実施形態に記載の範囲には限定されない。発明の要旨を逸脱しない範囲で上記各実施形態に多様な変更又は改良を加えることができ、該変更又は改良を加えた形態も本発明の技術的範囲に含まれる。また、上記各実施形態を適宜組み合わせてもよい。
【０１０２】
例えば、上記各実施形態では、タッチパッド１１は有効操作領域１３が変化しても中心位置１３ｃを同じとする形態について説明したが、本発明は、これに限定されるものではなく、タッチパッド１１は中心位置１３ｃを同じとすることなく、有効操作領域１３を変化させてもよい。この形態の場合、図１０の例に示すように、タッチパッド１１の有効操作領域１３を、キーボード１０側を含む一部領域は無効操作領域となるように、キーボード１０側とは逆側（ユーザ側）に狭くしてもよい。
【０１０３】
また、上記各実施形態では、無効操作領域をタッチセンサ２５が反応しない領域とする形態について説明したが、本発明は、これに限定されるものではない。無効操作領域は、例えば、この領域にタッチするとタッチセンサ２５が反応（センシング）するものの、タッチＩＣ２６又はＣＰＵ２０はポインタ６の移動等の操作の実行指令を出力しない領域とされてもよい。なお、この形態の場合、ＯＳＫ５がタッチパッドスイッチモードとされている場合、タッチセンサ２５が操作入力を検知するため、タッチパッドスイッチ１１Ｓへのタッチのみならず、無効操作領域に継続的なタッチ（例えば２秒以上のタッチ）があった場合でも、タッチパッドスイッチモードからタッチパッドモードへ切り替えてもよい。
【０１０４】
また、上記各実施形態では、本発明をＯＳＫ５に適用する形態について説明したが、本発明は、これに限定されるものではなく、キーボード１０とタッチパッド１１とが隣接して備えられる物理キーボードに適用する形態としてもよい。この形態の場合、ユーザがタッチパッドスイッチモードとタッチパッドモードとの切り換えを認識できるように、ディスプレイにモードが切り替わったことを示すメッセージが表示されてもよい。
【０１０５】
また、上記各実施形態では、キーボード１０の下側にタッチパッド１１が備えられる形態について説明したが、本発明は、これに限定されるものではなく、キーボード１０の右側又は左側にタッチパッド１１が隣接して備えられる形態としてもよい。
【０１０６】
また、上記各実施形態では、本発明をタッチパネルディスプレイ４を２つ備えるノートＰＣ１に適用する形態について説明したが、本発明は、これに限定されるものではなく、タッチパネルディスプレイを１つ備えるタッチパッド等の情報処理装置に適用する形態としてもよい。
【０１０７】
また、本発明は、タッチパッド等の情報処理装置にＵＳＢポートを介して外部接続される平面状のキーボードであるフラットキーボードに適用されてもよい。このフラットキーボードは、例えば、タッチパネルで構成されており、ソフトウェアキーボードを表示可能としている。なお、この形態の場合、タッチパッドスイッチ１１Ｓの表示は、例えば、モードに関わらずプリントにより常に表示されてもよいし、タッチパッドスイッチモードに切り替わった場合にタッチパッドスイッチ１１Ｓの位置がＬＥＤ（Light  Emitting  Diode）等によって発光してもよい。
【０１０８】
さらに、上記各実施形態で説明したタッチパッド誤操作抑制機能の処理の流れも一例であり、本発明の主旨を逸脱しない範囲内において不要なステップを削除したり、新たなステップを追加したり、処理順序を入れ替えたりしてもよい。
【符号の説明】
【０１０９】
１      ノートＰＣ１（情報処理装置）
４      タッチパネルディスプレイ
５      ソフトウェアキーボード
６      ポインタ
１０    キーボード
１１    タッチパッド
１３  有効操作領域
１３Ｌ  第１領域
１３Ｓ  第２領域
１３ｃ  中心位置
２０    ＣＰＵ（制御部）
２５    タッチセンサ
２６    タッチＩＣ（制御部）
４０    操作状態判定部（操作状態判定手段）
４１    有効操作領域変化部（有効操作領域変化手段）
【図１】
2018010512.tif 000003
【図２】
2018010512.tif 000004
【図３】
2018010512.tif 000005
【図４】
2018010512.tif 000006
【図５】
2018010512.tif 000007
【図６】
2018010512.tif 000008
【図７】
2018010512.tif 000009
【図８】
2018010512.tif 000010
【図９】
2018010512.tif 000011
【図１０】
2018010512.tif 000012
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
キーボードとタッチパッドとが隣接する情報処理装置であって、
前記キーボードに対してユーザによる操作が行われているか否かを判定する操作状態判定手段と、
前記キーボードに対して操作が行われているか否かに応じて、前記タッチパッドの有効操作領域の広さを変化させる有効操作領域変化手段と、
を備える情報処理装置。
【請求項２】
キーボードとタッチパッドとが隣接する情報処理装置であって、
前記キーボードに対する操作が行われているか否かに応じて、前記タッチパッドの有効操作領域のうち、前記キーボード側を含む一部領域を無効操作領域に変化させる有効操作領域変化手段を備える情報処理装置。
【請求項３】
前記有効操作領域変化手段は、前記有効操作領域の広さを第１領域、又は前記第１領域よりも狭い第２領域に変化させる請求項１または請求項２記載の情報処理装置。
【請求項４】
前記有効操作領域変化手段は、前記キーボードに対する操作が行われる状態で、前記有効操作領域を前記第２領域とする請求項３記載の情報処理装置。
【請求項５】
前記有効操作領域変化手段は、前記タッチパッドに対する操作が行われる状態で、前記有効操作領域を前記第１領域とする請求項３又は請求項４記載の情報処理装置。
【請求項６】
前記有効操作領域変化手段は、前記タッチパッドに対する操作と組み合わされて操作入力が行われるキーが押された状態で、前記有効操作領域を前記第１領域とする請求項３から請求項５の何れか１項記載の情報処理装置。
【請求項７】
前記第１領域と前記第２領域の中心位置は、同じ位置である請求項３から請求項６の何れか１項記載の情報処理装置。
【請求項８】
前記タッチパッドによる操作対象となるポインタを表示するディスプレイを備え、
前記有効操作領域が狭くなっている状態では、前記ディスプレイにポインタを表示しない表示制御手段を備える請求項１から請求項７の何れか１項記載の情報処理装置。
【請求項９】
画像を表示するタッチパネルディスプレイを備え、
前記キーボード及び前記タッチパッドは前記タッチパネルディスプレイに表示され、前記有効操作領域は前記タッチパネルディスプレイに設けられ、
前記タッチパネルディスプレイに表示される前記タッチパッドの大きさを前記有効操作領域の広さの変化に対応して変化させる表示制御手段を備える請求項１から請求項８の何れか１項記載の情報処理装置。
【請求項１０】
指示体によるタッチ操作の入力を受け付けるタッチパネルディスプレイを備え、
前記タッチパネルディスプレイに対して、ユーザが前記タッチ操作を行っている状態では、前記キーボード及び前記タッチパッドに対する操作を受け付けない請求項１から請求項８の何れか１項記載の情報処理装置。
【請求項１１】
キーボードとタッチパッドとが隣接する情報処理装置の誤操作抑制方法であって、
前記キーボードに対してユーザによる操作が行われているか否かを判定する第１工程と、
前記キーボードに対して操作が行われているか否かに応じて、前記タッチパッドの有効操作領域の広さを変化させる第２工程と、
を有する誤操作抑制方法。
【請求項１２】
キーボードとタッチパッドとが隣接する情報処理装置の誤操作抑制方法であって、
前記キーボードに対する操作が行われているか否かに応じて、前記タッチパッドの有効操作領域のうち、前記キーボード側を含む一部領域を無効操作領域に変化させる誤操作抑制方法。
【請求項１３】
キーボードとタッチパッドとが隣接する情報処理装置が有するコンピュータを、
前記キーボードに対してユーザによる操作が行われているか否かを判定する操作状態判定手段と、
前記キーボードに対して操作が行われているか否かに応じて、前記タッチパッドの有効操作領域の広さを変化させる有効操作領域変化手段と、
して機能させるプログラム。
【請求項１４】
キーボードとタッチパッドとが隣接する情報処理装置が有するコンピュータを、
前記キーボードに対する操作が行われているか否かに応じて、前記タッチパッドの有効操作領域のうち、前記キーボード側を含む一部領域を無効操作領域に変化させる有効操作領域変化手段として機能させるプログラム。
【請求項１５】
キーボードとタッチパッドとを有する情報処理装置であって、
前記タッチパッドへのユーザによる操作を検出するタッチセンサと、
前記タッチパッドの有効操作領域へのタッチを前記タッチセンサが検出したことで前記タッチパッドによる操作を実行する制御部と、を備え、
前記制御部は、前記キーボードに対して操作が行われているか否かに応じて、前記有効操作領域の広さを変化させる情報処理装置。
【請求項１６】
画像を表示するタッチパネルディスプレイを備え、
前記キーボード及び前記タッチパッドは前記タッチパネルディスプレイに表示され、前記タッチセンサは前記タッチパネルディスプレイに設けられ、
前記タッチパネルディスプレイに表示される前記タッチパッドの大きさを前記有効操作領域の広さの変化に対応して変化させる表示制御手段を備える請求項１５記載の情報処理装置。
【請求項１７】
キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置の誤操作抑制方法であって、
前記制御部によって、前記キーボードに対して操作が行われているか否かに応じて、前記有効操作領域の広さを変化させる誤操作抑制方法。
【請求項１８】
キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置が有するコンピュータに、
前記キーボードに対して操作が行われているか否かに応じて、前記有効操作領域の広さを変化させる機能を実現させるためのプログラム。
【請求項１９】
画像を表示する第１のタッチパネルディスプレイと、
指示体によるタッチ操作の入力を受け付ける第２のタッチパネルディスプレイと、
前記第１のタッチパネルディスプレイに表示される前記タッチパッドの大きさを前記有効操作領域の広さの変化に対応して変化させる表示制御手段と、
を備え、
前記キーボード及び前記タッチパッドは前記第１のタッチパネルディスプレイに表示され、前記有効操作領域は前記第１のタッチパネルディスプレイに設けられ、
前記第２のタッチパネルディスプレイに対して、ユーザが前記タッチ操作を行っている状態では、前記キーボード及び前記タッチパッドに対する操作を受け付けない請求項１に記載の情報処理装置。
【手続補正２】
【補正対象書類名】明細書
【補正対象項目名】００１０
【補正方法】変更
【補正の内容】
【００１０】
本発明の第一態様に係る情報処理装置は、キーボードとタッチパッドとが隣接する情報処理装置であって、前記キーボードに対してユーザによる操作が行われているか否かを判定する操作状態判定手段と、前記キーボードに対して操作が行われているか否かに応じて、前記タッチパッドの有効操作領域の広さを変化させる有効操作領域変化手段と、を備える。
【手続補正３】
【補正対象書類名】明細書
【補正対象項目名】００１１
【補正方法】変更
【補正の内容】
【００１１】
本発明の第二態様に係る情報処理装置は、キーボードとタッチパッドとが隣接する情報処理装置であって、前記キーボードに対する操作が行われているか否かに応じて、前記タッチパッドの有効操作領域のうち、前記キーボード側を含む一部領域を無効操作領域に変化させる有効操作領域変化手段を備える。
【手続補正４】
【補正対象書類名】明細書
【補正対象項目名】００１２
【補正方法】変更
【補正の内容】
【００１２】
本発明の第三態様に係る誤操作抑制方法は、キーボードとタッチパッドとが隣接する情報処理装置の誤操作抑制方法であって、前記キーボードに対してユーザによる操作が行われているか否かを判定する第１工程と、前記キーボードに対して操作が行われているか否かに応じて、前記タッチパッドの有効操作領域の広さを変化させる第２工程と、を有する。
【手続補正５】
【補正対象書類名】明細書
【補正対象項目名】００１３
【補正方法】変更
【補正の内容】
【００１３】
本発明の第四態様に係る誤操作抑制方法は、キーボードとタッチパッドとが隣接する情報処理装置の誤操作抑制方法であって、前記キーボードに対する操作が行われているか否かに応じて、前記タッチパッドの有効操作領域のうち、前記キーボード側を含む一部領域を無効操作領域に変化させる。
【手続補正６】
【補正対象書類名】明細書
【補正対象項目名】００１４
【補正方法】変更
【補正の内容】
【００１４】
本発明の第五態様に係るプログラムは、キーボードとタッチパッドとが隣接する情報処理装置が有するコンピュータを、前記キーボードに対してユーザによる操作が行われているか否かを判定する操作状態判定手段と、前記キーボードに対して操作が行われているか否かに応じて、前記タッチパッドの有効操作領域の広さを変化させる有効操作領域変化手段と、して機能させる。
【手続補正７】
【補正対象書類名】明細書
【補正対象項目名】００１５
【補正方法】変更
【補正の内容】
【００１５】
本発明の第六態様に係るプログラムは、キーボードとタッチパッドとが隣接する情報処理装置が有するコンピュータを、前記キーボードに対する操作が行われているか否かに応じて、前記タッチパッドの有効操作領域のうち、前記キーボード側を含む一部領域を無効操作領域に変化させる有効操作領域変化手段として機能させる。
【手続補正８】
【補正対象書類名】明細書
【補正対象項目名】００１６
【補正方法】変更
【補正の内容】
【００１６】
本発明の第七態様に係る情報処理装置は、キーボードとタッチパッドとを有する情報処理装置であって、前記タッチパッドへのユーザによる操作を検出するタッチセンサと、前記タッチパッドの有効操作領域へのタッチを前記タッチセンサが検出したことで前記タッチパッドによる操作を実行する制御部と、を備え、前記制御部は、前記キーボードに対して操作が行われているか否かに応じて、前記有効操作領域の広さを変化させる。
【手続補正９】
【補正対象書類名】明細書
【補正対象項目名】００１７
【補正方法】変更
【補正の内容】
【００１７】
本発明の第八態様に係る誤操作抑制方法は、キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置の誤操作抑制方法であって、前記制御部によって、前記キーボードに対して操作が行われているか否かに応じて、前記有効操作領域の広さを変化させる。
【手続補正１０】
【補正対象書類名】明細書
【補正対象項目名】００１８
【補正方法】変更
【補正の内容】
【００１８】
本発明の第九態様に係るプログラムは、キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置が有するコンピュータに、前記キーボードに対して操作が行われているか否かに応じて、前記有効操作領域の広さを変化させる機能を実現させるためのプログラム。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
キーボードとタッチパッドとが隣接する情報処理装置であって、
前記キーボードに対してユーザによる操作が行われているか否かを判定する操作状態判定手段と、
前記キーボードに対して操作が行われているか否かに応じて、前記タッチパッドの有効操作領域の広さを第１領域、又は前記第１領域よりも狭い第２領域に変化させる有効操作領域変化手段と、
を備え、
前記有効操作領域変化手段は、前記タッチパッドに対する操作と組み合わされて操作入力が行われるキーが押された状態では、前記有効操作領域を前記第１領域とする情報処理装置。
【請求項２】
キーボードとタッチパッドとが隣接する情報処理装置であって、
前記キーボードに対する操作が行われているか否かに応じて、前記タッチパッドの有効操作領域の広さを第１領域、又は前記第１領域よりも狭い第２領域に変化させ、前記キーボード側を含む一部領域を無効操作領域に変化させる有効操作領域変化手段を備え、
前記有効操作領域変化手段は、前記タッチパッドに対する操作と組み合わされて操作入力が行われるキーが押された状態では、前記一部領域を無効操作領域としない情報処理装置。
【請求項３】
前記有効操作領域変化手段は、前記キーボードに対する操作が行われる状態で、前記有効操作領域を前記第２領域とする請求項１または２に記載の情報処理装置。
【請求項４】
前記有効操作領域変化手段は、前記タッチパッドに対する操作が行われる状態で、前記有効操作領域を前記第１領域とする請求項１から３の何れか１項記載の情報処理装置。
【請求項５】
前記第１領域と前記第２領域の中心位置は、同じ位置である請求項１から請求項４の何れか１項記載の情報処理装置。
【請求項６】
前記タッチパッドによる操作対象となるポインタを表示するディスプレイを備え、
前記有効操作領域が狭くなっている状態では、前記ディスプレイにポインタを表示しない表示制御手段を備える請求項１から請求項５の何れか１項記載の情報処理装置。
【請求項７】
画像を表示するタッチパネルディスプレイを備え、
前記キーボード及び前記タッチパッドは前記タッチパネルディスプレイに表示され、前記有効操作領域は前記タッチパネルディスプレイに設けられ、
前記タッチパネルディスプレイに表示される前記タッチパッドの大きさを前記有効操作領域の広さの変化に対応して変化させる表示制御手段を備える請求項１から請求項６の何れか１項記載の情報処理装置。
【請求項８】
指示体によるタッチ操作の入力を受け付けるタッチパネルディスプレイを備え、
前記タッチパネルディスプレイに対して、ユーザが前記タッチ操作を行っている状態では、前記キーボード及び前記タッチパッドに対する操作を受け付けない請求項１から請求項７の何れか１項記載の情報処理装置。
【請求項９】
キーボードとタッチパッドとが隣接する情報処理装置の誤操作抑制方法であって、
前記キーボードに対してユーザによる操作が行われているか否かを判定する第１工程と、
前記キーボードに対して操作が行われているか否かに応じて、前記タッチパッドの有効操作領域の広さを第１領域、又は前記第１領域よりも狭い第２領域に変化させ、前記タッチパッドに対する操作と組み合わされて操作入力が行われるキーが押された状態では、前記有効操作領域を前記第１領域とする第２工程と、
を有する誤操作抑制方法。
【請求項１０】
キーボードとタッチパッドとが隣接する情報処理装置の誤操作抑制方法であって、
前記キーボードに対する操作が行われているか否かに応じて、前記タッチパッドの有効操作領域の広さを第１領域、又は前記第１領域よりも狭い第２領域に変化させることで前記キーボード側を含む一部領域を無効操作領域に変化させ、前記タッチパッドに対する操作と組み合わされて操作入力が行われるキーが押された状態では、前記一部領域を無効操作領域としない誤操作抑制方法。
【請求項１１】
キーボードとタッチパッドとが隣接する情報処理装置が有するコンピュータを、
前記キーボードに対してユーザによる操作が行われているか否かを判定する操作状態判定手段と、
前記キーボードに対して操作が行われているか否かに応じて、前記タッチパッドの有効操作領域の広さを第１領域、又は前記第１領域よりも狭い第２領域に変化させ、前記タッチパッドに対する操作と組み合わされて操作入力が行われるキーが押された状態では、前記有効操作領域を前記第１領域とする有効操作領域変化手段と、
して機能させるプログラム。
【請求項１２】
キーボードとタッチパッドとが隣接する情報処理装置が有するコンピュータを、
前記キーボードに対する操作が行われているか否かに応じて、前記タッチパッドの有効操作領域の広さを第１領域、又は前記第１領域よりも狭い第２領域に変化させることで前記キーボード側を含む一部領域を無効操作領域に変化させ、前記タッチパッドに対する操作と組み合わされて操作入力が行われるキーが押された状態では、前記一部領域を無効操作領域としない有効操作領域変化手段として機能させるプログラム。
【請求項１３】
キーボードとタッチパッドとを有する情報処理装置であって、
前記タッチパッドへのユーザによる操作を検出するタッチセンサと、
前記タッチパッドの有効操作領域へのタッチを前記タッチセンサが検出したことで前記タッチパッドによる操作を実行する制御部と、を備え、
前記制御部は、前記キーボードに対して操作が行われているか否かに応じて、前記有効操作領域の広さを第１領域、又は前記第１領域よりも狭い第２領域に変化させ、前記タッチパッドに対する操作と組み合わされて操作入力が行われるキーが押された状態では、前記有効操作領域を前記第１領域とする情報処理装置。
【請求項１４】
画像を表示するタッチパネルディスプレイを備え、
前記キーボード及び前記タッチパッドは前記タッチパネルディスプレイに表示され、前記タッチセンサは前記タッチパネルディスプレイに設けられ、
前記タッチパネルディスプレイに表示される前記タッチパッドの大きさを前記有効操作領域の広さの変化に対応して変化させる表示制御手段を備える請求項１３記載の情報処理装置。
【請求項１５】
キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置の誤操作抑制方法であって、
前記制御部は、前記キーボードに対して操作が行われているか否かに応じて、前記有効操作領域の広さを第１領域、又は前記第１領域よりも狭い第２領域に変化させ、前記タッチパッドに対する操作と組み合わされて操作入力が行われるキーが押された状態では、前記有効操作領域を前記第１領域とする誤操作抑制方法。
【請求項１６】
キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置が有するコンピュータに、
前記キーボードに対して操作が行われているか否かに応じて、前記有効操作領域の広さを第１領域、又は前記第１領域よりも狭い第２領域に変化させ、前記タッチパッドに対する操作と組み合わされて操作入力が行われるキーが押された状態では、前記有効操作領域を前記第１領域とする機能を実現させるためのプログラム。
【請求項１７】
画像を表示する第１のタッチパネルディスプレイと、
指示体によるタッチ操作の入力を受け付ける第２のタッチパネルディスプレイと、
前記第１のタッチパネルディスプレイに表示される前記タッチパッドの大きさを前記有効操作領域の広さの変化に対応して変化させる表示制御手段と、
を備え、
前記キーボード及び前記タッチパッドは前記第１のタッチパネルディスプレイに表示され、前記有効操作領域は前記第１のタッチパネルディスプレイに設けられ、
前記第２のタッチパネルディスプレイに対して、ユーザが前記タッチ操作を行っている状態では、前記キーボード及び前記タッチパッドに対する操作を受け付けない請求項１に記載の情報処理装置。
【手続補正２】
【補正対象書類名】明細書
【補正対象項目名】００１０
【補正方法】変更
【補正の内容】
【００１０】
本発明の第一態様に係る情報処理装置は、キーボードとタッチパッドとが隣接する情報処理装置であって、前記キーボードに対してユーザによる操作が行われているか否かを判定する操作状態判定手段と、前記キーボードに対して操作が行われているか否かに応じて、前記タッチパッドの有効操作領域の広さを第１領域、又は前記第１領域よりも狭い第２領域に変化させる有効操作領域変化手段と、を備え、前記有効操作領域変化手段は、前記タッチパッドに対する操作と組み合わされて操作入力が行われるキーが押された状態では、前記有効操作領域を前記第１領域とする情報処理装置である。
【手続補正３】
【補正対象書類名】明細書
【補正対象項目名】００１１
【補正方法】変更
【補正の内容】
【００１１】
本発明の第二態様に係る情報処理装置は、キーボードとタッチパッドとが隣接する情報処理装置であって、前記キーボードに対する操作が行われているか否かに応じて、前記タッチパッドの有効操作領域の広さを第１領域、又は前記第１領域よりも狭い第２領域に変化させ、前記キーボード側を含む一部領域を無効操作領域に変化させる有効操作領域変化手段を備え、前記有効操作領域変化手段は、前記タッチパッドに対する操作と組み合わされて操作入力が行われるキーが押された状態では、前記一部領域を無効操作領域としない情報処理装置である。
【手続補正４】
【補正対象書類名】明細書
【補正対象項目名】００１２
【補正方法】変更
【補正の内容】
【００１２】
本発明の第三態様に係る誤操作抑制方法は、キーボードとタッチパッドとが隣接する情報処理装置の誤操作抑制方法であって、前記キーボードに対してユーザによる操作が行われているか否かを判定する第１工程と、前記キーボードに対して操作が行われているか否かに応じて、前記タッチパッドの有効操作領域の広さを第１領域、又は前記第１領域よりも狭い第２領域に変化させ、前記タッチパッドに対する操作と組み合わされて操作入力が行われるキーが押された状態では、前記有効操作領域を前記第１領域とする第２工程と、を有する。
【手続補正５】
【補正対象書類名】明細書
【補正対象項目名】００１３
【補正方法】変更
【補正の内容】
【００１３】
本発明の第四態様に係る誤操作抑制方法は、キーボードとタッチパッドとが隣接する情報処理装置の誤操作抑制方法であって、前記キーボードに対する操作が行われているか否かに応じて、前記タッチパッドの有効操作領域の広さを第１領域、又は前記第１領域よりも狭い第２領域に変化させることで前記キーボード側を含む一部領域を無効操作領域に変化させ、前記タッチパッドに対する操作と組み合わされて操作入力が行われるキーが押された状態では、前記一部領域を無効操作領域としない誤操作抑制方法である。
【手続補正６】
【補正対象書類名】明細書
【補正対象項目名】００１４
【補正方法】変更
【補正の内容】
【００１４】
本発明の第五態様に係るプログラムは、キーボードとタッチパッドとが隣接する情報処理装置が有するコンピュータを、前記キーボードに対してユーザによる操作が行われているか否かを判定する操作状態判定手段と、前記キーボードに対して操作が行われているか否かに応じて、前記タッチパッドの有効操作領域の広さを第１領域、又は前記第１領域よりも狭い第２領域に変化させ、前記タッチパッドに対する操作と組み合わされて操作入力が行われるキーが押された状態では、前記有効操作領域を前記第１領域とする有効操作領域変化手段と、して機能させる。
【手続補正７】
【補正対象書類名】明細書
【補正対象項目名】００１５
【補正方法】変更
【補正の内容】
【００１５】
本発明の第六態様に係るプログラムは、キーボードとタッチパッドとが隣接する情報処理装置が有するコンピュータを、前記キーボードに対する操作が行われているか否かに応じて、前記タッチパッドの有効操作領域の広さを第１領域、又は前記第１領域よりも狭い第２領域に変化させることで前記キーボード側を含む一部領域を無効操作領域に変化させ、前記タッチパッドに対する操作と組み合わされて操作入力が行われるキーが押された状態では、前記一部領域を無効操作領域としない有効操作領域変化手段として機能させる。
【手続補正８】
【補正対象書類名】明細書
【補正対象項目名】００１６
【補正方法】変更
【補正の内容】
【００１６】
本発明の第七態様に係る情報処理装置は、キーボードとタッチパッドとを有する情報処理装置であって、前記タッチパッドへのユーザによる操作を検出するタッチセンサと、前記タッチパッドの有効操作領域へのタッチを前記タッチセンサが検出したことで前記タッチパッドによる操作を実行する制御部と、を備え、前記制御部は、前記キーボードに対して操作が行われているか否かに応じて、前記有効操作領域の広さを第１領域、又は前記第１領域よりも狭い第２領域に変化させ、前記タッチパッドに対する操作と組み合わされて操作入力が行われるキーが押された状態では、前記有効操作領域を前記第１領域とする情報処理装置である。
【手続補正９】
【補正対象書類名】明細書
【補正対象項目名】００１７
【補正方法】変更
【補正の内容】
【００１７】
本発明の第八態様に係る誤操作抑制方法は、キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置の誤操作抑制方法であって、前記制御部は、前記キーボードに対して操作が行われているか否かに応じて、前記有効操作領域の広さを第１領域、又は前記第１領域よりも狭い第２領域に変化させ、前記タッチパッドに対する操作と組み合わされて操作入力が行われるキーが押された状態では、前記有効操作領域を前記第１領域とする誤操作抑制方法である。
【手続補正１０】
【補正対象書類名】明細書
【補正対象項目名】００１８
【補正方法】変更
【補正の内容】
【００１８】
本発明の第九態様に係るプログラムは、キーボード、タッチパッド、前記タッチパッドへのユーザによる操作を検出するタッチセンサ、及び前記タッチパッドの有効操作領域へのタッチを前記タッチセンサが検出したことで前記タッチパッドによる操作を実行する制御部を備える情報処理装置が有するコンピュータに、前記キーボードに対して操作が行われているか否かに応じて、前記有効操作領域の広さを第１領域、又は前記第１領域よりも狭い第２領域に変化させ、前記タッチパッドに対する操作と組み合わされて操作入力が行われるキーが押された状態では、前記有効操作領域を前記第１領域とする機能を実現させるためのプログラムである。